(57)【要約】【課題】  無線リソースの消費を抑えたセルラー移動通信システムの提供。【解決手段】  無線基地局制御装置１、各々が無線基地局制御装置１に接続され各々が一つのアンテナを有する複数の無線基地局装置２０１及び２０２、複数のアンテナを有する無線端末装置３’を備えたセルラー移動通信システムであって、無線基地局制御装置１は、原情報信号系列を互いに異なる複数の情報信号系列に分割し、複数の情報信号系列を複数の無線基地局装置に配信し、複数の無線基地局装置は、複数の情報信号系列を、複数の無線基地局装置のアンテナから、互いに同一の無線リソースを用いて無線端末装置３’の複数のアンテナにＭＩＭＯ伝送し、無線端末装置３’は、複数のアンテナにて受信した複数のアンテナ受信データにＭＩＭＯ処理を行い、複数の情報信号系列を分離した状態で取り出し、取り出された複数の情報信号系列を合成し、原情報信号系列を再生する。【選択図】  図６
2006287530.tif 000002
【特許請求の範囲】
【請求項１】
無線基地局制御装置と、各々が前記無線基地局制御装置に接続される共に各々が一つのアンテナを有する複数の無線基地局装置と、複数のアンテナを有する無線端末装置とを備え、
前記無線基地局制御装置は、原情報信号系列を、互いに異なる複数の情報信号系列に分割すると共に、前記複数の情報信号系列を前記複数の無線基地局装置にそれぞれ配信するものであり、
前記複数の無線基地局装置は、前記複数の情報信号系列を配信されると、前記複数の情報信号系列を、前記複数の無線基地局装置のアンテナから、互いに同一の無線リソースを用いて前記無線端末装置の複数のアンテナにＭＩＭＯ(Multiple-Input Multiple-Output)伝送するものであり、
前記無線端末装置は、前記複数のアンテナにて受信した複数のアンテナ受信データにＭＩＭＯ処理を行い、前記複数の情報信号系列を分離した状態で取り出し、取り出された前記複数の情報信号系列を合成し、前記原情報信号系列を再生することを特徴とするセルラー移動通信システム。
【請求項２】
請求項１に記載のセルラー移動通信システムにおいて、
前記複数の無線基地局装置は、互いに同一の無線リソースとして、互いに同一の周波数を用いることを特徴とするセルラー移動通信システム。
【請求項３】
請求項１に記載のセルラー移動通信システムにおいて、
前記複数の無線基地局装置は、互いに同一の無線リソースとして、互いに同一の拡散コードを用いることを特徴とするセルラー移動通信システム。
【請求項４】
請求項１に記載のセルラー移動通信システムにおいて、
前記複数の無線基地局装置は、互いに同一の無線リソースとして、互いに同一のタイムスロットを用いることを特徴とするセルラー移動通信システム。
【請求項５】
無線基地局制御装置と、各々が前記無線基地局制御装置に接続される共に各々が一つのアンテナを有する複数の無線基地局装置と、複数のアンテナを有する無線端末装置とを備え、
前記無線基地局制御装置は、原情報信号系列を、互いに異なる複数の情報信号系列に分割すると共に、前記複数の情報信号系列を前記複数の無線基地局装置にそれぞれ配信するものであり、
前記複数の無線基地局装置は、前記複数の情報信号系列を配信されると、前記複数の情報信号系列を、前記複数の無線基地局装置のアンテナから、互いに同一の無線リソースを用いて前記無線端末装置の複数のアンテナにＭＩＭＯ(Multiple-Input Multiple-Output)伝送するものであり、
前記無線端末装置は、前記複数のアンテナにて受信した複数のアンテナ受信データにＭＩＭＯ処理を行い、前記複数の情報信号系列を分離した状態で取り出すＭＩＭＯ処理部と、取り出された前記複数の情報信号系列を合成し、前記原情報信号系列を再生する情報信号系列合成部とを有することを特徴とするセルラー移動通信システム。
【請求項６】
請求項５に記載のセルラー移動通信システムにおいて、
前記複数の無線基地局装置は、互いに同一の無線リソースとして、互いに同一の周波数を用いることを特徴とするセルラー移動通信システム。
【請求項７】
請求項５に記載のセルラー移動通信システムにおいて、
前記複数の無線基地局装置は、互いに同一の無線リソースとして、互いに同一の拡散コードを用いることを特徴とするセルラー移動通信システム。
【請求項８】
請求項５に記載のセルラー移動通信システムにおいて、
前記複数の無線基地局装置は、互いに同一の無線リソースとして、互いに同一のタイムスロットを用いることを特徴とするセルラー移動通信システム。
【請求項９】
無線基地局制御装置と、各々が前記無線基地局制御装置に接続される共に各々が一つのアンテナを有する複数の無線基地局装置と、複数のアンテナを有する無線端末装置とを備えたセルラー移動通信システムにおける前記無線基地局制御装置から前記無線端末装置への情報信号系列伝送方法において、
前記無線基地局制御装置において、原情報信号系列を、互いに異なる複数の情報信号系列に分割すると共に、前記複数の情報信号系列を前記複数の無線基地局装置にそれぞれ配信するステップと、
前記複数の無線基地局装置において、前記複数の情報信号系列を配信されると、前記複数の情報信号系列を、前記複数の無線基地局装置のアンテナから、互いに同一の無線リソースを用いて前記無線端末装置の複数のアンテナにＭＩＭＯ(Multiple-Input Multiple-Output)伝送するステップと、
前記無線端末装置において、前記複数のアンテナにて受信した複数のアンテナ受信データにＭＩＭＯ処理を行い、前記複数の情報信号系列を分離した状態で取り出し、取り出された前記複数の情報信号系列を合成し、前記原情報信号系列を再生するステップとを有することを特徴とする情報信号系列伝送方法。
【請求項１０】
請求項９に記載の情報信号系列伝送方法において、
前記複数の無線基地局装置において、互いに同一の無線リソースとして、互いに同一の周波数が用いられることを特徴とする情報信号系列伝送方法。
【請求項１１】
請求項９に記載の情報信号系列伝送方法において、
前記複数の無線基地局装置において、互いに同一の無線リソースとして、互いに同一の拡散コードが用いられることを特徴とする情報信号系列伝送方法。
【請求項１２】
請求項９に記載の情報信号系列伝送方法において、
前記複数の無線基地局装置は、互いに同一の無線リソースとして、互いに同一のタイムスロットを用いることを特徴とする情報信号系列伝送方法。
【発明の詳細な説明】
【技術分野】
【０００１】
本発明は、セルラー移動通信システムに関する。
【背景技術】
【０００２】
まず、図８に示した、関連技術としてのセルラー移動通信システムについて説明する。
【０００３】
図８において、無線基地局制御装置２０は、無線基地局装置２１０１及び２１０２に同じ情報信号系列Ａを配信する。無線基地局装置２１０１及び２１０２は、同じ情報信号系列Ａを無線端末装置２２に送信する。この際、無線基地局装置２０１からの情報信号系列Ａは、周波数Ｆ１（または拡散符号Ｃ１）で送信され、無線基地局装置２０２からの情報信号系列Ａは、周波数Ｆ１（または拡散符号Ｃ１）とは異なる、周波数Ｆ２（または拡散符号Ｃ２）で送信される。この結果、無線基地局装置２１０１及び２１０２からは、同じ情報信号系列Ａが無線端末装置２２に伝送される。
【０００４】
無線端末装置２２は、２つの無線基地局装置２１０１及び２１０２からの情報信号列を最大比合成(Maximum Ratio Cobining)することにより、ＳＮＲ(Signal-to-noise Ratio)を向上することができる。
【０００５】
しかしながら、このセルラー移動通信システムにおいては、高速データ通信を行うためには、高速なシンボルレートや多値数の多い変調方式を使う必要がある。そのため、このセルラー移動通信システムにおいては、次のような課題がある。
【０００６】
第１の課題は、高速シンボルレートにするのため広い周波数帯域が必要になるということである。
【０００７】
第２の課題は、高多値数の変調方式を用いるため、大きな送信電力が必要になるということである。
【０００８】
このように、図８のセルラー移動通信システムでは、高速データ通信を行うためには、無線基地局装置２１０１及び２１０２と無線端末装置２２との間で高速な無線方式を使用する必要があり、高速なシンボルレートの無線通信方式や１６ＱＡＭ(Quadrature Amplitude Modulation) 、６４ＱＡＭ等の高多値変調の無線通信方式を使用することとなり、広い周波数帯域の使用や大きな電力の使用が必要となった。
【０００９】
特許文献１には、端末（ＭＳ：Mobile Station）は複数の無線回線を通じて複数の基地局（ＢＳ：Base Station）と接続されていること、複数の基地局（ＢＳ）は基地局制御装置（ＢＳＣ：Base Station Controller）と接続されていること、及び複数の基地局（ＢＳ）と端末（ＭＳ）との間の複数の無線回線がそれぞれ独立した回線であり、回線速度も伝送される情報も異なることが、開示されている。特許文献１には、更に、通常ひとつの基地局（ＢＳ）を介して端末（ＭＳ）に送信していた情報を、複数の基地局（ＢＳ）に分散して端末（ＭＳ）に送信することで、全体として高速伝送を可能にすることが開示されている。
【００１０】
特許文献２には、送信器において、送信データをＭ本の複数アンテナに分配して送信し、伝送路を経て到着した無線信号を、受信器でＮ本の複数アンテナにて受信し、信号処理によってＮ本の受信信号からＭ本の送信信号を求めて受信データを得るという通信方式（ＭＩＭＯ：Multiple-Input Multiple-Output方式）が開示されている。
【００１１】
【特許文献１】特開２００１−３６９６４号公報（［００３９］段落及び図１を参照。）
【特許文献２】特開２００３−１９８４４２号公報（［０００３］段落及び図１を参照。）
【発明の開示】
【発明が解決しようとする課題】
【００１２】
本発明の目的は、広い周波数帯域を使用せずに大きな電力を使用せずに、無線リソースの利用効率を良くし、高速データ通信を行うことができるセルラー移動通信システムを提供することにある。
【００１３】
本発明の目的は、広い周波数帯域を使用せずに大きな電力を使用せずに、無線リソースの利用効率を良くし、高速データ通信を行うことができる、セルラー移動通信システムにおける情報信号系列伝送方法を提供することにある。
【課題を解決するための手段】
【００１４】
本発明によるセルラー移動通信システム及び本発明による情報信号系列伝送方法は、以下のとおりである。
【００１５】
（１）  無線基地局制御装置と、各々が前記無線基地局制御装置に接続される共に各々が一つのアンテナを有する複数の無線基地局装置と、複数のアンテナを有する無線端末装置とを備え、
前記無線基地局制御装置は、原情報信号系列を、互いに異なる複数の情報信号系列に分割すると共に、前記複数の情報信号系列を前記複数の無線基地局装置にそれぞれ配信するものであり、
前記複数の無線基地局装置は、前記複数の情報信号系列を配信されると、前記複数の情報信号系列を、前記複数の無線基地局装置のアンテナから、互いに同一の無線リソースを用いて前記無線端末装置の複数のアンテナにＭＩＭＯ(Multiple-Input Multiple-Output)伝送するものであり、
前記無線端末装置は、前記複数のアンテナにて受信した複数のアンテナ受信データにＭＩＭＯ処理を行い、前記複数の情報信号系列を分離した状態で取り出し、取り出された前記複数の情報信号系列を合成し、前記原情報信号系列を再生することを特徴とするセルラー移動通信システム。
【００１６】
（２）  上記（１）に記載のセルラー移動通信システムにおいて、
前記複数の無線基地局装置は、互いに同一の無線リソースとして、互いに同一の周波数を用いることを特徴とするセルラー移動通信システム。
【００１７】
（３）  上記（１）に記載のセルラー移動通信システムにおいて、
前記複数の無線基地局装置は、互いに同一の無線リソースとして、互いに同一の拡散コードを用いることを特徴とするセルラー移動通信システム。
【００１８】
（４）  上記（１）に記載のセルラー移動通信システムにおいて、
前記複数の無線基地局装置は、互いに同一の無線リソースとして、互いに同一のタイムスロットを用いることを特徴とするセルラー移動通信システム。
【００１９】
（５）  無線基地局制御装置と、各々が前記無線基地局制御装置に接続される共に各々が一つのアンテナを有する複数の無線基地局装置と、複数のアンテナを有する無線端末装置とを備え、
前記無線基地局制御装置は、原情報信号系列を、互いに異なる複数の情報信号系列に分割すると共に、前記複数の情報信号系列を前記複数の無線基地局装置にそれぞれ配信するものであり、
前記複数の無線基地局装置は、前記複数の情報信号系列を配信されると、前記複数の情報信号系列を、前記複数の無線基地局装置のアンテナから、互いに同一の無線リソースを用いて前記無線端末装置の複数のアンテナにＭＩＭＯ(Multiple-Input Multiple-Output)伝送するものであり、
前記無線端末装置は、前記複数のアンテナにて受信した複数のアンテナ受信データにＭＩＭＯ処理を行い、前記複数の情報信号系列を分離した状態で取り出すＭＩＭＯ処理部と、取り出された前記複数の情報信号系列を合成し、前記原情報信号系列を再生する情報信号系列合成部とを有することを特徴とするセルラー移動通信システム。
【００２０】
（６）  上記（５）に記載のセルラー移動通信システムにおいて、
前記複数の無線基地局装置は、互いに同一の無線リソースとして、互いに同一の周波数を用いることを特徴とするセルラー移動通信システム。
【００２１】
（７）  上記（５）に記載のセルラー移動通信システムにおいて、
前記複数の無線基地局装置は、互いに同一の無線リソースとして、互いに同一の拡散コードを用いることを特徴とするセルラー移動通信システム。
【００２２】
（８）  上記（５）に記載のセルラー移動通信システムにおいて、
前記複数の無線基地局装置は、互いに同一の無線リソースとして、互いに同一のタイムスロットを用いることを特徴とするセルラー移動通信システム。
【００２３】
（９）  無線基地局制御装置と、各々が前記無線基地局制御装置に接続される共に各々が一つのアンテナを有する複数の無線基地局装置と、複数のアンテナを有する無線端末装置とを備えたセルラー移動通信システムにおける前記無線基地局制御装置から前記無線端末装置への情報信号系列伝送方法において、
前記無線基地局制御装置において、原情報信号系列を、互いに異なる複数の情報信号系列に分割すると共に、前記複数の情報信号系列を前記複数の無線基地局装置にそれぞれ配信するステップと、
前記複数の無線基地局装置において、前記複数の情報信号系列を配信されると、前記複数の情報信号系列を、前記複数の無線基地局装置のアンテナから、互いに同一の無線リソースを用いて前記無線端末装置の複数のアンテナにＭＩＭＯ(Multiple-Input Multiple-Output)伝送するステップと、
前記無線端末装置において、前記複数のアンテナにて受信した複数のアンテナ受信データにＭＩＭＯ処理を行い、前記複数の情報信号系列を分離した状態で取り出し、取り出された前記複数の情報信号系列を合成し、前記原情報信号系列を再生するステップとを有することを特徴とする情報信号系列伝送方法。
【００２４】
（１０）  上記（９）に記載の情報信号系列伝送方法において、
前記複数の無線基地局装置において、互いに同一の無線リソースとして、互いに同一の周波数が用いられることを特徴とする情報信号系列伝送方法。
【００２５】
（１１）  上記（９）に記載の情報信号系列伝送方法において、
前記複数の無線基地局装置において、互いに同一の無線リソースとして、互いに同一の拡散コードが用いられることを特徴とする情報信号系列伝送方法。
【００２６】
（１２）  上記（９）に記載の情報信号系列伝送方法において、
前記複数の無線基地局装置は、互いに同一の無線リソースとして、互いに同一のタイムスロットを用いることを特徴とする情報信号系列伝送方法。
【発明の効果】
【００２７】
本発明によれば、狭い周波数帯域の使用で済む低速なシンボルレートの無線通信方式や、小さな送信電力で済む基本的な変調方式を用いることができるため、狭い周波数帯域の使用や小さな電力の使用で高速データ通信が可能になる。
【００２８】
しかも、本発明によれば、同一無線リソースを用いてＭＩＭＯ伝送（並列伝送）を行うため、無線リソースの消費が少なく、無線リソースの利用効率がよくなる。
【００２９】
本発明では、無線基地局装置は基本的に１つのアンテナしかもたず、複数の無線基地局装置が接続される無線基地局制御装置からみると複数のアンテナをもつことになり、これによりＭＩＭＯ伝送を行うことになる。
【００３０】
上記特許文献２は、基本的に複数のアンテナをもつ１つの送信器を使ってＭＩＭＯ伝送を行うもので、本発明とはまったく異なる。
【００３１】
本発明では、ＭＩＭＯ伝送を行う複数の無線基地局装置は、全て同じ無線リソース（周波数、拡散符号、タイムスロット等）を用いる。この点は上記特許文献１には開示がない。
【００３２】
本発明では、同一無線リソースを用いてＭＩＭＯ伝送（並列伝送）を行うため、無線リソースの消費が少なく、無線リソースの利用効率がよくなる。
【００３３】
すなわち、特許文献１及び特許文献２のいずれにも、本発明の構成要件である、「前記複数の無線基地局装置は、前記複数の情報信号系列を配信されると、前記複数の情報信号系列を、前記複数の無線基地局装置のアンテナから、互いに同一の無線リソースを用いて前記無線端末装置の複数のアンテナにＭＩＭＯ(Multiple-Input Multiple-Output)伝送する」ことが開示がない。
【発明を実施するための最良の形態】
【００３４】
次に本発明の実施例について図面を参照して説明する。
【００３５】
本発明は、ユーザ通信情報を分割して複数の無線基地局装置に分配して、各無線通信基地局から無線端末装置へ低速な無線通信方式通信情報を伝送し、無線端末装置で複数の無線基地局装置からの通信情報を受信することにより、高速データ通信を実現する。
【００３６】
これにより、低速な無線通信方式として、低速なシンボルレートの無線通信方式やＢＰＳＫ(Binary Phase Shift Keying)、ＱＰＳＫ(Quadrature Phase Shift Keying)等の基本的な変調方式を用いることができるため、より狭い周波数帯域や小さな電力で高速データ通信が可能になる。
【００３７】
しかも、本発明は、同一無線リソースを用いてＭＩＭＯ伝送（並列伝送）を行うため、無線リソースの消費が少なく、無線リソースの利用効率がよくなる。
【００３８】
図１を参照すると、本発明の基となるセルラー移動通信システムが示されている。このセルラー移動通信システムは、無線基地局制御装置１と、無線基地局装置２０１及び２０２と、無線端末装置３とから構成される。無線基地局装置２０１及び２０２は、無線端末装置３と無線通信を行う機能を有する。無線基地局制御装置１は、無線基地局装置２０１及び２０２を制御する機能、及びコアネットワークから送られてくる情報信号系列Ａを情報信号系列Ｂ及びＣに分割して、無線基地局装置２０１及び２０２に配信する機能を有する。無線基地局装置２０１は、情報信号系列Ｂを、周波数Ｆ１（または拡散符号Ｃ１）で送信し、無線基地局装置２０２は、情報信号系列Ｃを、周波数Ｆ１（または拡散符号Ｃ１）とは異なる、周波数Ｆ２（または拡散符号Ｃ２）で送信する。無線端末装置３は、無線基地局装置２０１及び２０２よりそれぞれ送られる情報信号系列Ｂ及びＣを受信し合成することにより、情報信号系列Ａを再生する機能を有する。
【００３９】
このように、本発明の基となるセルラー移動通信システムでは、情報信号系列Ａを分割して複数の無線基地局装置２０１及び２０２に配信し、複数の無線基地局装置２０１及び２０２から送信された通信信号を無線端末装置３で受信して合成することにより、ユーザ通信情報Ａを再生するため、低速な無線通信方式によって高速にユーザ通信情報Ａを無線端末装置３に送ることができる。
【００４０】
図２を参照すると、図１に示すセルラー移動通信システムに必要な装置間の信号が示されている。コアネットワークは、無線基地局制御装置１へ情報信号系列Ａ（４０１）を送る。
【００４１】
無線基地局制御装置１は、無線端末装置３に伝える情報信号系列Ａ（４０１）を情報信号系列Ｂ（５０１）と情報信号系列Ｃ（５０２）とに分割して、それぞれ無線基地局装置２０１及び２０２へ送る。
【００４２】
無線基地局装置２０１及び２０２は、情報信号系列５０１及び情報信号系列５０２を変調し、変調信号７０１及び７０２として無線端末装置３に送る。
【００４３】
無線端末装置３は、変調信号７０１及び７０２を復調して、情報信号系列５０１及び５０２を再生し、情報信号系列５０１及び５０２を合成することにより、情報信号系列４０１を再生することができる。
【００４４】
無線基地局装置２０１及び２０２は、無線基地局制御装置１へ無線伝送路品質情報６０１及び６０２を通知する。
【００４５】
無線伝送路品質情報６０１は、無線基地局装置２０１及び無線端末装置３間の無線伝送路品質を示している。無線伝送路品質情報６０１は、無線端末装置３から無線基地局装置２０１への上り信号の受信品質を無線基地局装置２０１において測定することや、無線基地局装置２０１から無線端末装置３への下り信号の受信品質を無線端末装置３において測定し、その測定した受信品質を無線端末装置３から無線基地局装置２０１へフィードバックすることにより、求められる。
【００４６】
無線伝送路品質情報６０２は、無線基地局装置２０２及び無線端末装置３間の無線伝送路品質を示している。無線伝送路品質情報６０２は、無線端末装置３から無線基地局装置２０２への上り信号の受信品質を無線基地局装置２０１において測定することや、無線基地局装置２０２から無線端末装置３への下り信号の受信品質を無線端末装置３において測定し、その測定した受信品質を無線端末装置３から無線基地局装置２０２へフィードバックすることにより、求められる。
【００４７】
無線基地局制御装置１は、無線伝送路品質情報６０１及び６０２により情報信号系列４０１から情報信号系列５０１及び５０２への分割方法（分配方法）を決定し、情報信号系列４０１を情報信号系列５０１及び５０２に分割する。
【００４８】
無線基地局制御装置１は、無線基地局装置２０１に、情報信号系列５０１を送ると共に、無線基地局装置２０１に、決定された分割方法（分配方法）を表す情報信号系列分配情報８０１を通知する。また、無線基地局制御装置１は、無線基地局装置２０２に、情報信号系列５０２を送ると共に、無線基地局装置２０２に、決定された分割方法（分配方法）を表す情報信号系列分配情報８０２を通知する。
【００４９】
無線基地局装置２０１及び２０２は、情報信号系列分配情報８０１及び８０２を、変調信号情報９０１及び９０２として変調し、変調信号情報９０１及び９０２を無線端末装置３に通知する。
【００５０】
図３を参照すると、図１に示すセルラー移動通信システムの無線基地局制御装置１の構成が示されている。無線基地局制御装置１において、情報分配器１０は、情報分配方法決定器１１により決定された分配方法（分割方法）で情報信号系列Ａ（４０１）を情報信号系列Ｂ及びＣ（５０１及び５０２）分割し、無線基地局装置２０１及び２０２（図２）に、分配する。この際、情報分配方法決定器１１は、無線伝送路品質情報６０１及び６０２より分配方法（分割方法）を決定して、情報系列分配器１０に、決定された分配方法（分割方法）を指示すると共に、無線基地局装置２０１及び２０２に、決定された分配方法（分割方法）を表す情報信号系列分配情報８０１及び８０２を通知する。分配方法（分割方法）はいろいろ考えられるが、１例としては、無線伝送路品質情報として信号対雑音比（ＳＮＲ）を用い、ＳＮＲ比で情報信号系列を分配する方法がある。
【００５１】
図４を参照すると、図１に示すセルラー移動通信システムの無線基地局装置２０１（又は２０２）の構成の一部が示されている。無線基地局装置２０１（又は２０２）は、指示された変調方法に基いて、情報信号系列５０１（又は５０２）を変調信号７０１（又は７０２）に変調し、変調信号７０１（又は７０２）を無線端末装置３に送信する送信器１２と、情報信号系列分配情報８０１（又は８０２）から変調方法を決定して、決定された変調方法を送信器１２に指示する変調方法決定器１４とを有する。無線基地局装置２０１（又は２０２）の変調方法決定器１４は、無線端末装置３に、決定された変調方法を表す変調信号情報９０１（又は９０２）を通知する。
【００５２】
詳細には、無線基地局装置２０１（又は２０２）の送信器１２は、符号化器（図示せず）及び変調器（図示せず）を有する。無線基地局装置２０１（又は２０２）の送信器１２の符号化率及び変調方式は、無線基地局装置２０１（又は２０２）の変調方法決定器１４により指示される。無線基地局装置２０１（又は２０２）の変調方法決定器１４は、情報信号系列分配情報８０１（又は８０２）に従って符号化率及び変調方式を決定して、無線基地局装置２０１（又は２０２）の送信器１２の符号化器及び変調器に指示する。無線基地局装置２０１（又は２０２）の変調方法決定器１４は、無線端末装置３に、決定された符号化率及び変調方式を表す変調信号情報９０１（又は９０２）を、前記決定された変調方法として、通知する。
【００５３】
図５を参照すると、図１に示すセルラー移動通信システムの無線端末装置３の構成が示されている。無線端末装置３は、受信器１５０１、１５０２、及び１５０３と、情報信号系列合成器１６と、変調信号情報抽出器１７とをを有する。
【００５４】
受信器１５０３は、変調信号情報９０１及び９０２を受信して、変調信号情報抽出器１７に受信変調信号情報を与える。変調信号情報抽出器１７は、受信変調信号情報から、前記決定された変調方法（決定された符号化率及び変調方式）を抽出し、更には、決定された分配方法（分割方法）を抽出して、受信器１５０１及び１５０２に決定された符号化率及び変調方式を、情報信号系列合成器１６に決定された分配方法（分割方法）を指示する。
【００５５】
受信器１５０１及び１５０２は、決定された符号化率及び変調方式に基いて、変調信号７０１及び７０２を復調・復号して、情報信号系列５０１及び５０２（図２の情報信号系列Ｂ及びＣ）を抽出する。情報信号系列合成器１６は、決定された分配方法（分割方法）を参照して、抽出された情報信号系列５０１及び５０２を合成して、情報信号系列４０１（図２の情報信号系列Ａ）を再生する。
【００５６】
無線基地局装置２０１の信号と無線基地局装置２０２の信号を識別する方法としては、拡散符号による識別や周波数により識別を用いることができる。
【００５７】
また、本発明の基となるセルラー移動通信システムでは、２つの無線基地局装置を用いた場合について説明したが、３以上の複数の無線基地局を用いても同様のシステムが実現できる。
【００５８】
以上説明した、本発明の基となるセルラー移動通信システムにおいては、以下に記載するような効果がある。
【００５９】
第１の効果は、情報信号系列を分割して複数の無線基地局装置２０１及び２０２から無線端末装置３に無線伝送するので、各無線基地局装置２０１又は２０２と無線端末装置３との間では低速の無線通信方式を用いて安定した無線伝送を用いて、無線端末装置３に対して高速な無線データ通信を提供することができる。
【００６０】
第２の効果は、低速な無線通信方式を用いているため、周波数帯域を広げたり、送信電力を大きくすること無く、高速な無線データ通信を提供することができる。
【００６１】
第３の効果は、無線伝送路品質に応じて情報信号系列の分割を制御して各無線基地局装置２０１又は２０２の無線伝送路状態に応じた情報伝送量にしているため、各無線基地局装置２０１又は２０２と無線端末装置３との間の無線伝送路状態に適した変調方式、符号化率を用いて無線データ通信を提供できる。
【００６２】
図６を参照すると、本発明の一実施例によるセルラー移動通信システムが示されている。
【００６３】
この実施例の基本的な構成は、先に説明した、本発明の基となるセルラー移動通信システムと同じである。即ち、本実施例は、本発明の基となるセルラー移動通信システムと同様の参照符号で示された同様の部分を含んでいる。
【００６４】
本実施例は、以下の点において、本発明の基となるセルラー移動通信システムと異なる。
【００６５】
本実施例は、ＭＩＭＯ(Multiple-Input Multiple-Output或いはMulti-Input Multi-Output)伝送を利用した構成である。
【００６６】
本実施例では、無線基地局装置２０１及び２０２からの情報信号系列Ｂ及び情報信号系列Ｃは、同一の周波数Ｆ０（ＦＤＭＡ(Frequency Division Multiple Access)時）、または同一の拡散符号Ｃ０（ＣＤＭＡ(Code Division Multiple Access)時）、あるいは同一のタイムスロット（ＴＤＭＡ(Time Division Multiple Access)時）で送信される。無線端末装置３’は、アンテナを２本持ち、無線基地局装置２０１及び２０２からの信号を２本のアンテナでアンテナ受信データとして受信してＭＩＭＯ処理を行って情報信号系列Ｂ及びＣを分離して取り出し、合成することにより情報信号系列Ａを再生する。
【００６７】
図７を参照すると、図６のＭＩＭＯ伝送を利用したセルラー移動通信システムの無線端末装置３’が示されている。
【００６８】
図７において、図５に示した無線端末装置３の受信器１５０１及び１５０２の前にＭＩＭＯ信号処理器１９が接続されている。ＭＩＭＯ信号処理器１９は、２本のアンテナで受信されたアンテナ受信データ１９０１及び１９０２に対して、ＭＩＭＯ信号処理を行って、無線基地局装置２０１からの変調信号７０１と無線基地局装置２０２からの変調信号７０２とに分離するとともに、無線基地局装置２０１からの変調信号情報９０１と無線基地局装置２０２からの変調信号情報９０２とに分離する。変調信号７０１及び変調信号７０２は、受信器１５０１及び１５０２に入力される。変調信号情報９０１及び９０２は、受信器１５０３に入力される。受信器１５０１、１５０２、及び１５０３、情報信号系列合成器１６、及び変調信号情報抽出器１７は、図５の場合と同様の機能を持ち、情報信号系列４０１が再生される。
【００６９】
このように、本実施例では、各無線基地局装置２０１又は２０２は、同じ周波数、同じ拡散符号、あるいは同じタイムスロットを用いるため、無線リソースの消費を抑えられる効果が得られる。また、セル設計が容易になるという効果がある。
【００７０】
また、本実施例では、２つの無線基地局装置２０１及び２０２を用いた場合について説明したが、３以上の複数の無線基地局装置を用いても同様のシステムが実現できる。その際、無線端末装置は無線基地局装置数以上のアンテナが必要になる。
【図面の簡単な説明】
【００７１】
【図１】本発明の基となるセルラー移動通信システムのブロック図である。
【図２】図１に示すセルラー移動通信システムの装置間の信号を説明するためのブロック図である。
【図３】図１に示すセルラー移動通信システムの無線基地局制御装置のブロック図である。
【図４】図１に示すセルラー移動通信システムの無線基地局装置のブロック図である。
【図５】図１に示すセルラー移動通信システムの無線端末装置のブロック図である。
【図６】本発明の一実施例によるセルラー移動通信システムのブロック図である。
【図７】図６のセルラー移動通信システムの無線端末装置のブロック図である。
【図８】関連技術としてのセルラー移動通信システムのブロック図である。
【符号の説明】
【００７２】
１    無線基地局制御装置
２０１    無線基地局装置
２０２    無線基地局装置
３’    無線端末装置
１９    ＭＩＭＯ信号処理器
１９０１    アンテナ受信データ
１９０２    アンテナ受信データ
１５０１    受信器
１５０２    受信器
１５０３    受信器
１６    情報信号系列合成器
１７    変調信号情報抽出器
【図１】
2006287530.tif 000003
【図２】
2006287530.tif 000004
【図３】
2006287530.tif 000005
【図４】
2006287530.tif 000006
【図５】
2006287530.tif 000007
【図６】
2006287530.tif 000008
【図７】
2006287530.tif 000009
【図８】
2006287530.tif 000010